(57)【特許請求の範囲】
【請求項１】
適宜なベース部に、ベース部装着側が筒状で、先部側が円錐台形状のコイルバネで頂点に押圧部を備え、押圧時反力が約５００ｇ〜８ｋｇ、バネ高さが約２０〜１００ｍｍ、バネ装着底面直径が約２０〜６０ｍｍの押圧体を複数立設すると共に、隣接する押圧体群又は押圧体による治療対象箇所への押圧力の成分の水平方向分力が、前記治療対象箇所の筋肉を伸長すべく反対方向へ作用するように、前記押圧体をベース部に固定してなることを特徴とする筋肉伸張押圧機構。
【請求項２】
ベース部の押圧体立設面を、治療対象箇所の体型線に対応した形状としてなる請求項１記載の筋肉伸張押圧機構。
【請求項３】
ベース部を複数で形成すると共に、屈曲自在に関節機構で連結してなる請求項１又は２記載の筋肉伸張押圧機構。
【請求項４】
ベース部を複数で形成すると共に、ベース部間が伸縮自在になるような伸縮接続部で連結してなる請求項１又は２記載の筋肉伸張押圧機構。
【請求項５】
ベース部をＵ状に折曲して弾力性を備えた板バネ体とし、板バネ体の内面側に押圧体を設けてなる請求項１記載の筋肉伸張押圧機構。
【請求項６】
ベース部のＵ状端面の開口部に操作部を突設してなる請求項５記載の筋肉伸張機構。
【発明の詳細な説明】
【０００１】
【産業上の利用分野】
本発明は、手持ちマッサージ器具や治療装置として使用される筋肉伸張押圧機構に関するものである。
【０００２】
【従来技術及び発明が解決しようとする課題】
人体の筋肉のコリを解するためや、筋肉のリハビリとしてマッサージ（筋肉への刺激）の器具器は種々知られているが、基本的には人の手による刺激或いは弾性突起体による押圧が一般的である。
【０００３】
しかし人の手によるマッサージは、指によって行うために、局所的な刺激、広範囲に渡る同時刺激は困難であり、更にはその刺激力にも限界がある。而も施術者に独特の訓練が必要である。特に筋肉深部の拘縮のほぐしには強い力で、１〜３０秒の間隔で１０〜２０分継続する必要があり、指のマッサージは事実上困難である。
【０００４】
また機械的刺激手段として、弾性突起体を体に押し付けたり、振動を付与したりするが、それは人体（筋肉）に対して直交方向への押圧刺激であって、水平方向（筋肉の筋繊維走向方向）への刺激とはならない。
【０００５】
そこで本発明は、筋肉の伸張方向に作用し、拘縮した筋肉に対して筋繊維方向への刺激を与える筋肉伸張押圧機構を提案したものである。
【０００６】
【課題を解決する手段】
本発明に係る筋肉伸張押圧機構は、適宜なベース部に、ベース部装着側が筒状で、先部側が円錐台形状のコイルバネで頂点に押圧部を備え、押圧時反力が約５００ｇ〜８ｋｇ、バネ高さが約２０〜１００ｍｍ、バネ装着底面直径が約２０〜６０ｍｍの押圧体を複数立設すると共に、隣接する押圧体群又は押圧体による治療対象箇所への押圧力の成分の水平方向分力が、治療対象箇所の筋肉を伸長するような反対方向へ作用するように、前記押圧体をベース部に固定してなることを特徴とするものである。
【０００７】
従って前記筋肉伸張押圧機構をもって人体の所定の箇所を相対的に押圧すると、筋肉の押圧箇所に所定の刺激を与えるものであり、特にコイルバネを採用したことによって、治療対象箇所（施術箇所）に対応して予め定められる最適押圧力の設定が容易であり、且つ押圧時に筋肉に振動を与えること無く、静的圧力が加えられるのみで、深筋層まで刺激力を到達させることができる。而も図１に例示するように、押圧部による押圧では筋肉繊維に対して単に直角に押圧せずに傾いて押圧され、当然押圧力Ｆの水平方向分力ｆ１が作用し、他の押圧箇所では、反対方向の水平分力が働き、この水平分力によって筋肉に対して繊維方向への伸長力が作用することになり、拘縮している筋肉に対する治療効果を奏する。
【０００８】
【実施の形態】
次に本発明の実施形態について説明するが、すべの実施形態は、ベース部と押圧体とで構成され、押圧体は、コイルバネで形成されると共に、下部が筒状で上部は円錐台形状にし、頂点に押圧部を設けたものである。
【０００９】
＜第一実施形態＞  図２〜図４に例示したものは本発明の第一実施形態で、ベース部１が、床面に安定して設置され、上面が人体の体型に合わせた曲面に形成したものである。
【００１０】
図２は、身体の背部から臀部のための器具（第一実施例）で、ベース部１ａは、腰部に対応する箇所が膨出し、背部用（背部対応箇所：以下同様に説明する）１１が［Ｒ＝約６０〜１２０ｃｍ］の曲面で、約４０〜４５ｃｍ長で、臀部用１２は、［Ｒ＝約３０〜６０ｃｍ］の曲面で、約２５〜３０ｃｍ長である。尚前記の曲面は、押圧体２ａの頂部位置を定めるもので、曲面に代えて押圧体２ａの高さを変えることで対応しても良い。以下の全ての実施例でも同様である。
【００１１】
押圧体２ａは、バネの強さが約２〜６ｋｇで、バネの根本直径が約３０ｍｍで先端の押圧部径が約７．５ｍｍ、バネ高さが約５〜７ｃｍである。またベース部１ａの幅は押圧体列に対応するもので、押圧体列は、１〜４列である。勿論押圧体２ａの直立方向は、押圧体群で、押圧力が反対方向に作用するように傾斜させてなる。尚バネの強さは臀部側を強く、背部側は少し弱くした方が良い。
【００１２】
而して前記器具を床面に安定しておき、臀部側押圧体の先端を臀溝に当接させて静かに抑臥すると、押圧体２ａで脊柱起立筋を伸張させる方向に力が加わることになり、筋肉のストレッチとなる。
【００１３】
図３は、臀部や腰部のための器具（第二実施例）で、ベース部１ｂの上面は、身体の横断方向に対応する形状、即ち［Ｒ＝約１２〜３０ｃｍ］の曲面で、幅約３０〜４０ｃｍ長（但し図示の例は二分して構成している）で、押圧体２ｂのバネの強さは約２〜６ｋｇで、バネの根本直径が約４０ｍｍで先端の押圧部径が７．５ｃｍ、バネ高さが約４〜６ｃｍである。尚バネの強さは臀部用側を強く、背部用側は少し弱くした方が良い。
【００１４】
而して抑臥した状態で、両外側から臀部或いは腰部に差し入れるようにしてすると、押圧体２ｂの当接箇所には、筋肉を伸張する方向に力が働くことになる。
【００１５】
図４は、身体の背部から頭部のための器具（第三実施例）で、ベース部１ｃは、枕付きベッドと対応するもので、枕部１３は、前後長約２０ｃｍ，高さ約９ｃｍ程度あり、背部用１４は、約６０〜９０ｃｍ長で、厚みが約９ｃｍから尾端２ｃｍまで傾斜面である。
【００１６】
また押圧体２ｃは、バネの強さが２〜５ｋｇで、バネの根本直径が約３０〜５０ｍｍで先端の押圧部径が約７．５ｍｍ、バネ高さが約５〜７ｃｍ、左右複数列とし、図４（ロ）に示すように両側の押圧体群を左右に傾斜させてなる。
【００１７】
而して前記器具を床面に安定しておき、頭部を枕部１３にのせ、静かに抑臥することで、背筋や頭皮の伸張がなされる。
【００１８】
尚前記の第一実施形態は、前記の実施例に限定されるものではなく、身体の各部に独立的に作用させたり、複合的に作用させる等、ベース部の形成範囲は自由に設定できるものであり、また押圧体の数や配列も当該対象部位に対応して適宜に定められるものである。
【００１９】
＜第二実施形態＞  図５〜図７に例示したものは本発明の第二実施形態で、ベース部を手持ちとして使用する器具の例である。
【００２０】
図５に例示した器具は、頸部筋群を伸張するための器具（第四実施例）で、ベース部１ｄを、頸部と対応する形状に形成し、押圧体２ｄを放射状に突設したものである。そしてその押圧体２ｄのバネの強さは約１〜５ｋｇで、バネの根本直径が約３０ｍｍで先端の押圧部径が約７．５ｍｍ、バネ高さが約３〜５ｃｍである。
【００２１】
而して前記器具を自己或いは施術者が手に持ち、当該箇所を押圧するものである。
【００２２】
図６は、胸部ストレッチ用の器具（第五実施例）で、ベース部１ｅは、左右に分割されており、左右のベース部１ｅは、折曲可能な関節機構１５やゴムバンドのように伸縮自在な伸縮折り畳み連結構造としたもので、当接面（押圧体２ｅの立設面）が［Ｒ＝３０〜６０ｃｍ］の曲面とする。
【００２３】
この押圧体２ｅは、バネの強さが約１〜３．５ｋｇで、バネの根本直径が約３０ｍｍで先端の押圧部径が約７．５ｍｍ、バネ高さが約５ｃｍとしたものである。
【００２４】
図７に例示した機構は、機械化に適するもので、伏臥状態の治療対象者に対して、施術者が操作したり、機械による施術を行うもので、ベース部１ｆが背腰部用１６と臀部大腿部用１７に二分し、各部との連結部及び中間部を枢結した連結腕１８で連結してなるものである。機械化に際しては、１〜３０秒の間隔で押圧及びその解除を約数分〜数十分継続するものである。
【００２５】
尚押圧体２ｆのバネの強さは約１〜６ｋｇで、バネの根本直径が約３０ｍｍで先端の押圧部径が約７．５ｍｍ、バネ高さが３〜５ｃｍで、図７（ロ）に示すように、左右に傾斜して設けてなる。更に図７（ロ）は、背部用、腰部用、臀部用の断面で、肩部用は多少異なる。
【００２６】
而して前記器具を伏臥した治療対象者の肩から大腿までに当接して連結腕１８部分で下圧することで筋肉伸張を図るものである。
【００２７】
＜第三実施形態＞  図８、９に例示したものは本発明の第三実施形態で、この実施形態は上肢下肢や胴部を前後に挟んで使用するものである。
【００２８】
図８は、上下肢用の器具（第七実施例）で  、ベース部３は、Ｕ状に折曲され、その内側対向面間に弾力性を備えた板バネ等で形成し、更にＵ状端面の開口部に操作部３１を突設してなるもので、全長約１５〜３５ｃｍで、奥行き約５〜２０ｃｍとし、対向距離（挟み部分）は基部が約２０〜３０ｃｍで先端が約８〜１６ｃｍとして、上肢や下肢の形状に対応させてなる。
【００２９】
このベース部３の内面に押圧体４を多数直立させてなるもので、バネの強さは約１〜５ｋｇで、バネの根本直径が約３０ｍｍで先端の押圧部径が約７．５ｍｍ、バネ高さが約３〜６ｃｍとしたものである。
【００３０】
そして前記器具の対向面間に上肢又は下肢を狭入して、所定の刺激を与えるようにしてなるもので、特にＵ状ベース部３を開放し、復帰弾性力で刺激を与える場合には、操作部３１は、開放用として使用されるし、逆に開放状態が非加圧状態の場合には、操作部３１は加圧部材として使用する。
【００３１】
また図９は、胴体の各関節箇所等を表裏から圧力を加える機構（第八実施例）で、本発明の押圧機構を備えた挟持体構造の器具である。即ち押圧体４ａを突設したベース部３ａを延長して把手部３ｂを設けた２個の部材を、押圧体４ａが対向面側に位置するように、ベース部３ａと把手部３ｂの中間部分で交叉させると共に、交叉部分を枢結してなるものである。
【００３２】
従って施術個所をベース部３ａで挟んで、把手部３ｂを手（機械的でも可）で操作することで、肩関節、腋窩部、股関節部の他、手足、膝周辺、臀部等を対象として、人体の前後方向から挟圧して所定の圧力刺激を与えるものである。
【００３３】
＜第四実施形態＞  図１０〜図１２に例示したものは本発明の第四実施形態で、この実施形態は、柔軟なシート体をべース部５とした器具である。
【００３４】
図１０，１１は第九実施例を示したもので、適宜な面積を備えた柔軟なシート体（ベース部）５に、押圧体６を約５〜１０ｃｍ間隔で適宜数縦横列させて立設したものである。このバネ力などは、使用対象部位や使用体位に応じて定められる。
【００３５】
その使用例としては、図１１に例示するように椅子（自動車用シート）に取り付けたりして使用するものである。
【００３６】
また図１２は、第一〇実施例で、ベルト状のベース部５ａに押圧体６ａを一列に立設したもので、押圧体６ａが突出するように他の器具に取付て、手持ち器具や固定器具として使用したり、押圧体６ａが身体に当接するように身体に巻き付けて使用することができるものである。
【００３７】
本発明は前記の各実施形態並びに実施例に限定されるものではなく、ベース部には種々の既存器具を採用できる。例えば車両シートの内部、座布団、寝台などの人体が当接する全ての器具をベース部として、押圧体を付設することで、本件発明を実現できるものである。更にベース部に所定の動作（間欠的な押圧動作）を行う動作機構を付設して、機械による施術を行うようにしてもよい。
【００３８】
更に前記実施形態には例示しなかったが、押圧体の先端部であり人体に当接する押圧部が、厚くなったり冷たくなるように、押圧部自体に加熱機構や冷却機構を付設したり、別置した加熱機構や冷却機構から温度媒体を押圧部に供給する等構成を付加しても良い。このような温度制御を採用することによって、押圧刺激の他に温度刺激も与えることができる。また人体と当接する箇所（押圧体）を柔軟なカバーで被覆するようにしても良い。
【００３９】
また当該押圧部を導電体で形成し、微弱電流を供給するようにしても良く、使用に際して人体に対して押圧刺激の他にも電気刺激を与えることができる。
【００４０】
【発明の効果】
以上のように本発明は、適宜なベース部に、下部が筒状で上部が円錐台形状のコイルバネで形成され、頂点に押圧部を設けた押圧体を複数立設すると共に、隣接する押圧体群又は押圧体による押圧力が反対方向に作用するように、押圧体をベース部に固定してなる筋肉伸張機構で、人力や機械動作をもって人体の適宜箇所に押圧体による押圧刺激を加えることで、非振動の静的圧力が加えられると共に、筋肉を伸張させる力が加わり、拘縮している筋肉に対する治療となるものである。
【図面の簡単な説明】
【図１】本発明の作用の説明図。
【図２】同第一実施例（第一実施形態）の器具の説明図。
【図３】同第二実施例（第一実施形態）の器具の説明図。
【図４】同第三実施例（第一実施形態）の器具の説明図で、（イ）は全体図（ロ）は断面図。
【図５】同第四実施例（第二実施形態）の器具の説明図。
【図６】同第五実施例（第二実施形態）の器具の説明図。
【図７】同第六実施例（第二実施形態）の器具の説明図で、（イ）は全体図（ロ）は断面図。
【図８】同第七実施例（第三実施形態）の器具の説明図。
【図９】同第八実施例（第三実施形態）の器具の説明図。
【図１０】同第九実施例（第四実施形態）の器具の説明図。
【図１１】同使用状態の説明図。
【図１２】同第一〇実施例（第四実施形態）の器具の説明図。
【符号の説明】
１ａ，１ｂ，１ｃ，１ｄ，１ｅ，１ｆ，３，３ａ，５，５ａ    ベース部
２ａ，２ｂ，２ｃ，２ｄ，２ｅ，２ｆ，４，４ａ，６，６ａ    押圧体
【図１】
0003860982.tif 000002
【図２】
0003860982.tif 000003
【図３】
0003860982.tif 000004
【図４】
0003860982.tif 000005
【図５】
0003860982.tif 000006
【図６】
0003860982.tif 000007
【図７】
0003860982.tif 000008
【図８】
0003860982.tif 000009
【図９】
0003860982.tif 000010
【図１０】
0003860982.tif 000011
【図１１】
0003860982.tif 000012
【図１２】
0003860982.tif 000013